(57)【要約】【課題】バリの飛散を抑制することができる回転電機を提供することが目的である。【解決手段】回転電機１０は、筒状のモータケース１４と、環状に形成されてモータケース１４の内側に圧入されたコア１８、及び、コア１８の軸方向端部に装着されたインシュレータ２２を有するステータ１６とを備えている。コア１８の外周部とインシュレータ２２の外周部との境界部には、ステータ１６の径方向外側に開口する凹部３４が形成されている。従って、インシュレータ２２側からコア１８をモータケース１４の内側に圧入した際に、モータケース１４の内周面及びコア１８の外周部のこじりによりバリ４２が発生しても、このバリ４２が凹部３４に収容される。これにより、バリ４２の飛散が抑制される。【選択図】図３
2014150702.tif 000002
【特許請求の範囲】
【請求項１】
筒状のモータケースと、
環状に形成されて前記モータケースの内側に圧入されたコアと、前記コアの軸方向端部に装着されたインシュレータとを有するステータと、
前記コアの外周部と前記インシュレータの外周部との境界部に形成されると共に、前記ステータの径方向外側に開口する凹部と、
を備えた回転電機。
【請求項２】
前記コアには、前記コアの中心部を中心にして放射状に延びる複数のティース部が形成され、
前記ティース部の先端部には、前記モータケースの内周面に圧入された圧入部が形成され、
前記凹部は、前記ステータの周方向に前記圧入部とオーバーラップして形成されている、
請求項１に記載の回転電機。
【請求項３】
前記コアの外周部における前記インシュレータ側の部分には、前記モータケースの内周面に対して前記コアの径方向内側に離間する逃げ部が形成され、
前記インシュレータの外周部は、前記逃げ部に対して前記ステータの径方向外側に突出し、
前記凹部は、前記逃げ部及び前記インシュレータの外周部により形成されている、
請求項１又は請求項２に記載の回転電機。
【請求項４】
前記インシュレータの外周部は、前記モータケースの内周面に接触している、
請求項３に記載の回転電機。
【請求項５】
前記逃げ部は、前記コアの軸方向における前記インシュレータ側の端面に向かうに従って前記コアの径方向内側に向かうようにテーパ状に形成されている、
請求項３又は請求項４に記載の回転電機。
【請求項６】
前記凹部の開口は、前記モータケースにより塞がれており、
前記モータケース及び前記凹部により閉塞空間が形成されている、
請求項１〜請求項５のいずれか一項に記載の回転電機。
【請求項７】
前記凹部には、接着剤が収容されている、
請求項１〜請求項６のいずれか一項に記載の回転電機。
【発明の詳細な説明】
【技術分野】
【０００１】
本発明は、回転電機に関する。
【背景技術】
【０００２】
従来、筒状のモータケースと、モータケースの内側に圧入されたコアを有するステータとを備えた回転電機が知られている（例えば、特許文献１参照）。
【先行技術文献】
【特許文献】
【０００３】
【特許文献１】特開２０１３−９５６７号公報
【特許文献２】特開２００７−２７８３１３号公報
【発明の概要】
【発明が解決しようとする課題】
【０００４】
このような回転電機では、コアをモータケースの内側に圧入した際に、モータケースの内周面及びコアの外周部のこじりによりバリが発生する虞がある。バリが飛散すると、このバリが、例えば、異音、短絡等の不具合の発生原因となる。従って、バリの飛散を抑制することが要求される。
【０００５】
そこで、本発明は、バリの飛散を抑制することができる回転電機を提供することを目的とする。
【課題を解決するための手段】
【０００６】
前記目的を達成するために、請求項１に記載の回転電機は、筒状のモータケースと、環状に形成されて前記モータケースの内側に圧入されたコアと、前記コアの軸方向端部に装着されたインシュレータとを有するステータと、前記コアの外周部と前記インシュレータの外周部との境界部に形成されると共に、前記ステータの径方向外側に開口する凹部と、を備えている。
【０００７】
この回転電機によれば、ステータは、環状に形成されたコアと、コアの軸方向端部に装着されたインシュレータとを有しており、このコアの外周部とインシュレータの外周部との境界部には、ステータの径方向外側に開口する凹部が形成されている。従って、インシュレータ側からコアをモータケースの内側に圧入した際に、モータケースの内周面及びコアの外周部のこじりによりバリが発生しても、このバリを凹部に収容することができる。これにより、バリの飛散を抑制することができる。
【０００８】
請求項２に記載の回転電機は、請求項１に記載の回転電機において、前記コアに、前記コアの中心部を中心にして放射状に延びる複数のティース部が形成され、前記ティース部の先端部に、前記モータケースの内周面に圧入された圧入部が形成され、前記凹部が、前記ステータの周方向に前記圧入部とオーバーラップして形成されたものである。
【０００９】
この回転電機によれば、ティース部の先端部には、モータケースの内周面に圧入された圧入部が形成されており、凹部は、この圧入部とステータの周方向にオーバーラップして形成されている。従って、インシュレータ側からコアをモータケースの内側に圧入した際に、ティース部の先端部に形成された圧入部がモータケースの内周面にこじられることによりバリが発生しても、このバリを凹部に収容することができる。
【００１０】
請求項３に記載の回転電機は、請求項１又は請求項２に記載の回転電機において、前記コアの外周部における前記インシュレータ側の部分に、前記モータケースの内周面に対して前記コアの径方向内側に離間する逃げ部が形成され、前記インシュレータの外周部が、前記逃げ部に対して前記ステータの径方向外側に突出し、前記凹部が、前記逃げ部及び前記インシュレータの外周部により形成されたものである。
【００１１】
この回転電機によれば、コアの外周部におけるインシュレータ側の部分に形成された逃げ部と、インシュレータの外周部とによって凹部が形成される。これにより、簡単な構成で凹部を形成することができる。
【００１２】
請求項４に記載の回転電機は、請求項３に記載の回転電機において、前記インシュレータの外周部が、前記モータケースの内周面に接触しているものである。
【００１３】
この回転電機によれば、インシュレータの外周部は、モータケースの内周面に接触している。従って、凹部に収容されたバリが、インシュレータの外周部とモータケースの内周面との間から抜け出すことを抑制することができる。
【００１４】
請求項５に記載の回転電機は、請求項３又は請求項４に記載の回転電機において、前記逃げ部が、前記コアの軸方向における前記インシュレータ側の端面に向かうに従って前記コアの径方向内側に向かうようにテーパ状に形成されているものである。
【００１５】
この回転電機によれば、逃げ部は、コアの軸方向におけるインシュレータ側の端面に向かうに従ってコアの径方向内側に向かうようにテーパ状に形成されている。従って、インシュレータ側からコアをモータケースの内側に圧入する際に、コアの軸方向におけるインシュレータ側の部分とモータケースの内周面との摩擦を低減することができる。これにより、インシュレータ側からコアをモータケースの内側に円滑に圧入することができると共に、バリの発生を抑制することができる。
【００１６】
請求項６に記載の回転電機は、請求項１〜請求項５のいずれか一項に記載の回転電機において、前記凹部の開口が、前記モータケースにより塞がれており、前記モータケース及び前記凹部により閉塞空間が形成されているものである。
【００１７】
この回転電機によれば、凹部の開口は、モータケースにより塞がれており、このモータケース及び凹部により閉塞空間が形成されている。従って、この凹部及びモータケースによって形成された閉塞空間にバリを閉じ込めることができる。これにより、バリの飛散をより一層効果的に抑制することができる。
【００１８】
請求項７に記載の回転電機は、請求項１〜請求項６のいずれか一項に記載の回転電機において、前記凹部に、接着剤が収容されているものである。
【００１９】
この回転電機によれば、凹部には、接着剤が収容されている。従って、凹部に収容されたバリを接着剤で保持することができる。従って、このことによっても、バリの飛散をより一層効果的に抑制することができる。
【図面の簡単な説明】
【００２０】
【図１】本発明の一実施形態に係る回転電機の斜視図である。
【図２】図１の要部拡大図である。
【図３】図１の要部拡大縦断面図である。
【発明を実施するための形態】
【００２１】
以下、図面に基づき、本発明の一実施形態について説明する。
【００２２】
図１に示される本発明の一実施形態に係る回転電機１０は、インナーロータタイプのブラシレスモータであり、ロータ１２と、モータケース１４と、ステータ１６とを有している。
【００２３】
ロータ１２は、ステータ１６の径方向内側に回転可能に収容されている。このロータ１２は、ステータ１６が形成する回転磁界により回転される。モータケース１４は、例えばアルミニウム合金等の金属製とされており、筒状に形成されている。
【００２４】
ステータ１６は、筒状に形成されたモータケース１４の内側に収容されており、コア１８と、一対のインシュレータ２０，２２と、複数の巻線２４とを有している。コア１８は、複数のコアシート２６を軸方向に積層して構成されたものであり、環状に形成されている。複数のコアシート２６は、例えば鉄等の金属製とされている。この複数のコアシート２６により構成されたコア１８は、モータケース１４の内側に圧入されることにより、モータケース１４に固定されている（図３も参照）。
【００２５】
つまり、コア１８には、このコア１８の中心部を中心にして放射状に延びる複数のティース部２８が形成されている。このティース部２８の先端部には、コア１８の径方向外側に突出する凸状の圧入部３０が形成されている（図２も参照）。この圧入部３０は、ティース部２８の先端部における幅方向（コア１８の周方向）の中央部に形成されている。また、この圧入部３０は、コア１８の軸方向に沿って延びている。そして、この圧入部３０は、モータケース１４の内周面に圧入されている。
【００２６】
一方のインシュレータ２０は、コア１８の軸方向一方側の端部に装着されており、他方のインシュレータ２２は、コア１８の軸方向他方側の端部に装着されている。他方のインシュレータ２２は、本発明におけるインシュレータの一例である。この一対のインシュレータ２０，２２は、平面視にてコア１８と略同形状に形成されており、コア１８は、この一対のインシュレータ２０，２２により軸方向の両側から覆われている。また、複数の巻線２４は、この一対のインシュレータ２０，２２を介してティース部２８に巻回されている。
【００２７】
図３に示されるように、コア１８の外周部（凸部３０）における他方のインシュレータ２２側の部分には、逃げ部３２が形成されている。この逃げ部３２は、コア１８の軸方向におけるインシュレータ２２側の端面１８Ａに向かうに従ってコア１８の径方向内側（矢印Ｘ１側）に向かうようにテーパ状に形成されており、モータケース１４の内周面に対してコア１８の径方向内側に離間している。
【００２８】
また、他方のインシュレータ２２の外周部２２Ａ（径方向外側の部分）は、逃げ部３２に対してステータ１６の径方向外側に突出している。そして、この逃げ部３２及びインシュレータ２２の外周部２２Ａにより、コア１８の外周部とインシュレータ２２の外周部との境界部には、ステータ１６の径方向外側（矢印Ｘ２側）に開口する凹部３４が形成されている。
【００２９】
なお、この他方のインシュレータ２２の外周部２２Ａにおけるコア１８側の部分には、逃げ部３２と対応して傾斜部３３が形成されている。傾斜部３３は、インシュレータ２２の厚み方向におけるコア１８側に向かうに従ってインシュレータ２２の径方向内側に向かうように傾斜して形成されている。
【００３０】
また、インシュレータ２２の外周部２２Ａは、モータケース１４の内周面に接触している。さらに、凹部３４の開口は、モータケース１４により塞がれており、これにより、モータケース１４及び凹部３４により閉塞空間３６が形成されている。また、この閉塞空間３６を形成する凹部３４は、図２に示されるように、ステータ１６の周方向に圧入部３０とオーバーラップして形成されると共に、この圧入部３０とコア１８の軸方向に隣接して形成されている。つまり、ステータ１６の周方向に沿った圧入部３０の幅と、ステータ１６の周方向に沿った凹部３４の幅は一致している、また、図３に示されるように、この凹部３４には、接着剤３８が収容されている。
【００３１】
なお、このようなステータ１６は、図１に示されるように、コアシート２６を積層してコア１８が形成された後に、このコア１８に軸方向両側から一対のインシュレータ２０，２２が装着される。そして、複数の巻線２４が一対のインシュレータ２０，２２を介してティース部２８に巻回される。また、このようにして組み立てられたステータ１６は、他方のインシュレータ２２側からモータケース１４の内側に挿入される。このとき、ティース部２８の先端部に形成された圧入部３０は、モータケース１４の内周面に圧入される。
【００３２】
図３に示されるように、モータケース１４の軸方向一方側（ステータ１６を挿入する側）には、段差状の案内部４０が形成されている。案内部４０は、モータケース１４の軸方向他方側に向かうに従ってモータケース１４の径方向内側に向かうようにテーパ状に形成されている。この案内部４０は、モータケース１４の全周に亘って形成されている。
【００３３】
次に、本発明の一実施形態の作用及び効果について説明する。
【００３４】
以上詳述したように、本発明の一実施形態に係る回転電機１０によれば、ステータ１６は、環状に形成されたコア１８と、コア１８の軸方向両端部に装着された一対のインシュレータ２０，２２とを有しており、このコア１８の外周部と他方のインシュレータ２２の外周部との境界部には、ステータ１６の径方向外側に開口する凹部３４が形成されている。従って、図３に示されるように、他方のインシュレータ２２側からコア１８をモータケース１４の内側に圧入した際に、モータケース１４の内周面及びコア１８の外周部のこじりによりバリ４２が発生しても、このバリ４２を凹部３４に収容することができる。これにより、バリ４２の飛散を抑制することができる。
【００３５】
特に、ティース部２８の先端部には、ステータ１６の径方向外側に突出し、モータケース１４の内周面に圧入された圧入部３０が形成されており、凹部３４は、この圧入部３０とステータ１６の周方向にオーバーラップして形成されている（図２も参照）。従って、他方のインシュレータ２２側からコア１８をモータケース１４の内側に圧入した際に、ティース部２８の先端部に形成された圧入部３０がモータケース１４の内周面にこじられることによりバリ４２が発生しても、このバリ４２を凹部３４に収容することができる。
【００３６】
また、コア１８の外周部におけるインシュレータ２２側の部分に形成された逃げ部３２と、インシュレータ２２の外周部２２Ａとによって凹部３４が形成される。これにより、簡単な構成で凹部３４を形成することができる。
【００３７】
しかも、バリ４２の飛散を抑制するための凹部３４を追加しただけの簡単な構成であるので、部品点数の増加や組付工数の増加を抑制することができる。これにより、コストアップを抑制することができる。
【００３８】
また、図３に示されるように、インシュレータ２２の外周部２２Ａは、モータケース１４の内周面に接触している。従って、凹部３４に収容されたバリ４２が、インシュレータ２２の外周部２２Ａとモータケース１４の内周面との間から抜け出すことを抑制することができる。
【００３９】
また、逃げ部３２は、コア１８の軸方向におけるインシュレータ２２側の端面１８Ａに向かうに従ってコア１８の径方向内側に向かうようにテーパ状に形成されている。従って、インシュレータ２２側からコア１８をモータケース１４の内側に圧入する際に、コア１８の軸方向におけるインシュレータ２２側の部分とモータケース１４の内周面との摩擦を低減することができる。これにより、インシュレータ２２側からコア１８をモータケース１４の内側に円滑に圧入することができると共に、バリの発生を抑制することができる。
【００４０】
また、凹部３４の開口は、モータケース１４により塞がれており、このモータケース１４及び凹部３４により閉塞空間３６が形成されている。従って、この凹部３４及びモータケース１４によって形成された閉塞空間３６にバリ４２を閉じ込めることができる。これにより、バリ４２の飛散をより一層効果的に抑制することができる。
【００４１】
また、この凹部３４には、接着剤３８が収容されている。従って、凹部３４に収容されたバリ４２を接着剤３８で保持することができる。従って、このことによっても、バリ４２の飛散をより一層効果的に抑制することができる。
【００４２】
次に、本発明の一実施形態の変形例について説明する。
【００４３】
上述の本発明の一実施形態では、ティース部２８の先端部に凸状の圧入部３０が形成されていたが、ティース部２８の先端部は、凹凸の無い曲面により形成され、このティース部２８の先端部の全体が圧入部として形成されてモータケース１４の内周面に圧入されていても良い。また、この場合に、凹部３４は、ティース部２８の先端部の全体（圧入部）とステータ１６の周方向にオーバーラップして形成されていても良い。
【００４４】
また、凹部３４は、逃げ部３２及び傾斜部３３により断面Ｖ字状に形成されていたが、凹部３４の断面形状は、断面Ｖ字状以外でも良い。
【００４５】
また、凹部３４は、コア１８の外周部とインシュレータ２２の外周部との境界部の一例として、コア１８の外周部及びインシュレータ２２の外周部の両方に亘って形成されていた。しかしながら、凹部３４は、コア１８の外周部とインシュレータ２２の外周部との境界部の一例として、コア１８の外周部におけるインシュレータ２２側の部分にのみ形成されていても良く、また、インシュレータ２２の外周部におけるコア１８側の部分にのみ形成されていても良い。
【００４６】
以上、本発明の一実施形態について説明したが、本発明は、上記に限定されるものでなく、上記以外にも、その主旨を逸脱しない範囲内において種々変形して実施可能であることは勿論である。
【符号の説明】
【００４７】
１０…回転電機、１２…ロータ、１４…モータケース、１６…ステータ、１８…コア、２０，２２…インシュレータ、２４…巻線、２６…コアシート、２８…ティース部、３０…圧入部、３２…逃げ部、３３…傾斜部、３４…凹部、３６…閉塞空間、３８…接着剤、４０…案内部、４２…バリ
【図１】
2014150702.tif 000003
【図２】
2014150702.tif 000004
【図３】
2014150702.tif 000005